(57)【要約】【課題】横型／縦型設置兼用の表示装置において、縦横どちらの形態で設置した場合にも、側面の水抜き孔を塞いだり装置下面に水抜き孔を開ける作業を必要とすることなく、装置の防水性と排水性を確保することが可能な表示装置を提供する。【解決手段】電気・電子部品を防水性の内側ケーシングで覆い、その外側を本体ケーシングで覆う。表示装置の下側になる位置の本体ケーシングと内側ケーシングとの間に水抜き路を形成し、この水抜き路内に排気路を形成する。排気路は、内側ケーシング面に設けた内部排気口と、本体ケーシング側に設けた外部排気口とを水抜き路から隔てながら接続し、排気ファンの風を表示装置外側へ排出する。排気路の途中に排気路と水抜き路とを連通させる導水孔を設け、排気路を流れる排気によって導水孔に発生する負圧作用により、水抜き路にたまった水を排気路内に吸引し排気と共に外部排気口より本体ケーシング外へ排出する。【選択図】図２
2006078712.tif 000002
【特許請求の範囲】
【請求項１】
複数の発光素子を配列した表示面を備え、縦型または横型のいずれの設置も可能にした表示装置において、
表示装置を縦型または横型に設置したときにそれぞれ下側となる一辺において、表示装置の内側に形成される水抜き路と、
表示装置の内部に取り付けられる排気ファンと、
該排気ファンの送出する風を表示装置外部へ排気する外部排気口と、
該外部排気口と前記排気ファンとを接続する排気路とを備え、
水抜き路にたまった水を排気路内に導く導水部を設け、排気路内に導いた水を排気と共に外部排気口より表示装置外部へ排出することを特徴とする表示装置。
【請求項２】
複数の発光素子を配列した表示面を備え、縦型または横型のいずれの設置も可能にした表示装置において、
前記表示面を除いて装置全体を覆う本体ケーシングと、
該本体ケーシングの内側に設けられ、前記表示面を除いて発光素子や制御基板等の電気、電子部品を覆う防水性の内側ケーシングと、
該内側ケーシングの内部に取り付けられる排気ファンと、
表示装置を縦型または横型に設置したときにそれぞれ下側となる一辺において、前記本体ケーシングと前記内側ケーシングとの間に形成される水抜き路と、
該水抜き路に面する内側ケーシングの所定位置に設けられ、前記排気ファンの送出する風を排気する内部排気口と、
前記本体ケーシング側の所定位置に設けられる外部排気口と、
前記内部排気口と前記外部排気口とを前記水抜き路から隔てながら接続する排気路とを備え、
内部排気口から外部排気口につながる排気路の途中に、排気路と水抜き路とを連通させる導水部を設け、排気路を流れる排気によって導水部に発生する負圧により水抜き路の水を排気路に導き、排気と共に外部排気口より本体ケーシング外へ排出することを特徴とする表示装置。
【請求項３】
請求項２記載の表示装置において、前記排気路の内部に、排気路の排気通路断面積を徐々に小さくすることで風の流れを速める絞り部を設けると共に、排気路と水抜き路とを連通させる導水部を絞り部に設け、排気路を流れる排気によって導水部に発生する負圧により水抜き路の水を排気路に導き、排気と共に外部排気口より本体ケーシング外へ排出することを特徴とする表示装置。
【発明の詳細な説明】
【技術分野】
【０００１】
本発明は、ＬＥＤ（発光ダイオード）等の発光体をプリント基板上にドットマトリクス状に配列し、各発光体を選択的に発光させることで文字、図形、記号、模様等を表示する表示装置に関するもので、特に、冷却用の排気口を有し、設置姿勢として横型または縦型の何れでも設置可能な表示装置に関する。
【背景技術】
【０００２】
従来、ＬＥＤをプリント基板上に複数配置し、選択的に点滅駆動することで文字・画像等を発光表示する表示装置が知られており、また、１台の表示装置で横型にも縦型にも設置可能なタイプの装置も知られている。
【０００３】
従来、ＬＥＤをプリント基板上に複数配置し、選択的に点滅駆動することで文字・画像等を発光表示する表示装置が知られている。このような表示装置は、店舗先や建物の壁面等に設置されることが多く、設置場所の周囲環境や建物の形状によって横型の設置が適していたり、あるいは縦型の設置が適していたりといった状況が発生する。設置の形態が横型であるか縦型であるかは顧客ごとに異なり、中には商品購入後に横型／縦型の変更が発生することもあるため、特許文献１に示されるようにこの種の表示装置は横型／縦型を兼用にした構造が主流になっている。
【特許文献１】特開平７−２０７９６号
【特許文献２】特開２００１−１５４５９１号
【発明の開示】
【発明が解決しようとする課題】
【０００４】
ところで、このような横型／縦型兼用の表示装置が抱えている問題のひとつに防水性の維持があった。もともと表示装置は防水構造を備えているが、屋外で長年風雨に曝されたり、周囲環境の激しい温度変化や湿度変化などの条件を受けことにより、装置内部に水がたまることがあり、前面板や本体ケーシングの破損等による雨水の浸入などにも備えて本体に水抜き孔を設けている。本体ケーシング下面の左右２箇所に水抜き孔を設けることにより、もし装置内部に水がたまったとしても外へ排出し、電子部品や電気部品が水に濡れるのを防いでいるのである（特許文献２）。
【０００５】
横型／縦型兼用の表示装置では、設置した状態で側面に現れる水抜き孔の扱いに注意する必要がある。縦横兼用であることから、どちらの姿勢で設置しても水抜きが可能なように、横型設置のときの下面と縦型設置の時の下面との両方にそれぞれ水抜き孔が開けられており、そのため側面には必ず水抜き孔が現れることになる。したがって、側面の水抜き孔を必ず塞ぐ必要がある。もし、側面の水抜き孔を塞がなかった場合には、その水抜き孔から雨水が浸入し装置破損を引き起こすおそれもあることから、設置作業の際には十分注意しなければならない。
【０００６】
側面の水抜き孔の塞ぎ忘れを防ぐために、製品出荷時に全ての水抜き孔を塞いでおき、設置作業の際に装置下面の水抜き孔を開けるという方法もあるが、その場合は、水抜き孔の開け忘れを防がなければならない。
【０００７】
いずれにしても設置作業時のミスを完全に防ぐことは困難であり、ひいては電子・電機部品の水濡れによる故障の防止を困難にしていた。
【０００８】
本発明は上記問題点を解決することを課題としており、横型／縦型設置兼用の表示装置において、縦横どちらの形態で設置した場合にも、側面の水抜き孔を塞いだり装置下面に水抜き孔を開ける作業を必要とすることなく、装置の防水性と排水性を確保することが可能な表示装置を提供することを目的としている。
【課題を解決するための手段】
【０００９】
本発明は、上記課題を解決するために、複数の発光素子を配列した表示面を備え、縦型または横型のいずれの設置も可能にした表示装置において、表示装置を縦型または横型に設置したときにそれぞれ下側となる一辺において、表示装置の内側に形成される水抜き路と、表示装置の内側に取り付けられる排気ファンと、該排気ファンの送出する風を表示装置外部へ排気する外部排気口と、該外部排気口と前記排気ファンとを接続する排気路とを備え、水抜き路にたまった水を排気路内に導く導水部を設け、排気路内に導いた水を排気と共に外部排気口より表示装置外部へ排出することを特徴とする表示装置を提案する。
【００１０】
また、上記課題を解決するために、複数の発光素子を配列した表示面を備え、縦型または横型のいずれの設置も可能にした表示装置において、前記表示面を除いて装置全体を覆う本体ケーシングと、該本体ケーシングの内側に設けられ、前記表示面を除いて発光素子や制御基板等の電気、電子部品を覆う防水性の内側ケーシングと、該内側ケーシングの内部に取り付けられる排気ファンと、表示装置を縦型または横型に設置したときにそれぞれ下側となる一辺において、前記本体ケーシングと前記内側ケーシングとの間に形成される水抜き路と、該水抜き路に面する内側ケーシングの所定位置に設けられ、前記排気ファンの送出する風を排気する内部排気口と、前記本体ケーシング側に設けられる外部排気口と、前記内部排気口と前記外部排気口とを前記水抜き路から隔てながら接続する排気路とを備え、内部排気口から外部排気口につながる排気路の途中に、排気路と水抜き路とを連通させる導水孔を設け、排気路を流れる排気によって導水孔に発生する負圧により水抜き路の水を排気路に導き、排気と共に外部排気口より本体ケーシング外へ排出することを特徴とする表示装置を提案する。
【００１１】
また上記提案の表示装置は、排気路の内部に排気路の排気通路断面積を徐々に小さくすることで風の流れを速める絞り部を設けると共に、排気路と水抜き路とを連通させる導水孔を絞り部に設け、排気路を流れる排気によって導水孔に発生する負圧により水抜き路の水を排気路に導き、排気と共に外部排気口より本体ケーシング外へ排出するよう構成するのが望ましい。
【発明の効果】
【００１２】
本発明によれば、長年の使用などにより表示装置の筐体内部にたまった水を、排気ファンの送出する排気と共に外部排気口より表示装置外部へ排出する。より詳しくは、電気・電子部品を防水性の内側ケーシングで覆い、その外側を本体ケーシングで覆う。表示装置の下側になる位置の本体ケーシングと内側ケーシングとの間に水抜き路を形成し、この水抜き路内に排気路を形成する。この排気路は、水抜き路を形成する内側ケーシング面に設けた内部排気口と、本体ケーシング側に設けた外部排気口とを水抜き路から隔てながら接続したものであり、内側ケーシングに収められた排気ファンの送出する風は内部排気口から排気路内へ流れ込み、外部排気口から表示装置外側へ排出される。そして、排気路の途中に排気路と水抜き路とを連通させる導水孔を設け、排気路の中を流れる排気によって導水孔に発生する負圧の作用により、水抜き路にたまった水を吸引して排気路の中に導き、排気と共に外部排気口より本体ケーシング外へ排出する。したがって、水抜き孔を設ける必要がなくなり、設置作業の際に表示装置を縦型あるいは横型に取り付けるだけで装置内にたまった水を排水する機能と、装置内への水浸入を防ぐ機能を与えることができる。また、装置内の水抜き路にたまった水は、排気路内を流れる排気によって発生する負圧の作用により排気路内へ引き込まれて排出されるため、表示装置内にたまった水は短時間で排出され、水抜き路に水が長時間滞ることがなくなる。したがって、表示装置内の湿気を短時間で取り除くことができ、水濡れや湿気に起因する故障を防ぐことができる。
【００１３】
また、排気路の内部に排気路の排気通路断面積を徐々に小さくすることで風の流れを速める絞り部を設け、排気路と水抜き路とを連通させる導水孔をその絞り部に設けることにより、排気路内を流れる排気によって導水孔の箇所に発生する負圧をより大きくすることができる。したがって、水抜き路にたまった水を効率良く排水することができる。
【００１４】
以下、本発明の好適な実施形態を図面に基づいて説明する。
【実施例】
【００１５】
図１は本発明一実施例の外観を示す説明図である。１は表示装置本体で、片面または両面に表示面２を備え、この表示面２を除く装置全体を防水構造の本体ケーシング３で取り囲んでいる。表示面２には、基板上にＬＥＤをドットマトリクス配列したＬＥＤ表示パネルが配置されており、ＬＥＤを選択的に点滅駆動することで文字や任意の図柄を発光表示可能にしている。図示の例ではフォント１文字分に相当する１６×１６ドットのマトリクスを横方向に４枚、縦方向に２枚配列し６４×３２ドットのドットマトリクス面を構成している。表示面２の大きさに対応して本体ケーシング３に設けられた矩形の開口部には、アクリルやガラス等の透光性材料からなる前面板４がシールパッキンを介して嵌め込まれており、表示装置全体として屋外で使用可能な防水性を確保している。なお、図１の状態は、表示装置を横型に置いた様子を表しているが、本実施例による表示装置は縦横兼用であり、縦型に置いて使用することもできる。
【００１６】
図２は本体ケーシング３で覆われた内側の構成を示す説明図であり、本体ケーシング３と前面板４を取り外した状態を表している。５は内側ケーシングで、本体ケーシング３と同じように表示面２を除いた全体を防水性の筐体で覆い、ＬＥＤパネル、制御基板、排気ファン等の電子部品や電気部品を保護している。６はシールパッキンで、表示面２に対応した開口部分から内側ケーシングの内部に水が侵入するのを防いでいる。７は前面カバーシールパッキンで、前面カバー４を本体ケーシング３の開口部に嵌め込んで固定する際に、この前面カバーシールパッキン７を介装することにより水の侵入を防止している。８は排気路で、表示面２の周囲を表示面に対して垂直に取り囲む面に形成された断面略コ字状の第１の溝内に、その第１の溝の幅寸法より狭い幅寸法を持つ第２の溝を第１の溝に沿って配設している。排気路８には、内側ケーシング５内部に取り付けられた排気ファン（図２では図示していない）から送出された風が排気され、本体ケーシング３と第２の溝とで形成するトンネル形状の排気路内を流れて外部排気口から表示装置外部へ排気される。図２の横置き状態では、表示装置の右側部から下向きに流れて下面で装置外部へ排気される排気路と、表示装置の上面から水平に左向きへ流れて左側部で装置外部へ排気される排気路と、の２系統の排気路を備えている。
【００１７】
次に、図３に基づいて排気経路について詳しく説明する。図３は、表示装置を正面より見たときの排気ファンの取り付け位置を示すと共に、排気路の断面を示している。１０−１，１０−２は排気ファンであり、内側ケーシング５内の熱を持った空気は、これら排気ファンから送り出されて内部排気口１１から排気路８の中に流れ込む。そして排気ファンから吹き出した風は排気路の中を流れ、外部排気口１２から大気中へ排気される。図に示すように、排気路８は、内部排気口１１から外部排気口１２まで内側ケーシング５の外側面に沿ってトンネル形状に構成されており、装置下面の所定位置に絞り部１３を設けている。この絞り部１３では、排気路内を流れる風の排気通路断面積を徐々に小さくしており、通路断面積が最も小さくなる箇所で風の流れる速さが通気路内で最も速くなるようにしている。また、通路断面積が最も小さい箇所の近傍に、排気路８の周囲にある内側ケーシング５の断面略コ字状の溝が形成する空間と、排気路８の内側とを連通する導水部１４を設けている。図４に詳しく示すように、内側ケーシング５の断面コ字状部５−１（前記第１の溝）と本体ケーシング３とで形成する空間の中に排気路８が配設されており、更には、断面コ字状部５−１（前記第１の溝）と、排気路を構成する前記第２の溝８−１との間には隙間が形成されている。その隙間は、表示装置の最も下側に位置しており、表示装置を長年使用するうちに表示装置内部に入り込んだ水が集まる位置となる。これがすなわち、表示装置の外部へ排水すべき水をためる水抜き路１５である。ちなみに、排気路８が配設されていない位置では、断面コ字状部５−１（前記第１の溝）と本体ケーシング３とで形成するトンネル状の空間が水抜き路の役割を担っている。
【００１８】
そして、図４の水抜き路１５にたまった水は、前記導水部１４から排気路内に引き込まれる。なぜなら、既に説明したように、排気路内を流れる風の速さが絞り部１３の作用によって高まり、導水部１４に負圧が発生して水抜き路側から排気路内側に向かって空気が入り込むためである。排気路内に引き込まれた水は風の流れによって外部排気口１２の方向へ移動し、最終的に外部排気口１２から本体ケーシング３の外側へ排出される。
【００１９】
ところで、排気ファン１２から送出された風を排気する排気路も上記構成と同じ構造を備えている。ただし、図３に示すように表示装置を横型に置いた場合は、外部排気口の周辺が水抜き路としては働かない位置となるため、専ら排気のみを行う。またその場合、外部排気口が表示装置の左側部に位置するが、外部排気口からは排気ファン１０−２から送出された風が吹き出しているため、雨等が入り込むのを極力防ぐことができる。
【図面の簡単な説明】
【００２０】
【図１】本発明一実施例の外観を示す説明図である。
【図２】本体ケーシング３内側の構成を示す説明図である。
【図３】排気経路を示す説明図である。
【図４】導水部の周囲を示す説明図である。
【符号の説明】
【００２１】
１    表示装置本体
２    表示面
３    本体ケーシング
４    前面板
５    内側ケーシング
５−１    第１の溝
６    シールパッキン
７    前面カバーシールパッキン
８    排気路
８−１    第２の溝
９    ＬＥＤ表示パネル
１０−１，１０−２    排気ファン
１１    内部排気口
１２    外部排気口
１３    絞り部
１４    導水部
１５    水抜き路
【図１】
2006078712.tif 000003
【図２】
2006078712.tif 000004
【図３】
2006078712.tif 000005
【図４】
2006078712.tif 000006